(57)【要約】【課題】高価な専用センサを設けることなく搬送媒体を検知するセンサにより搬送ベルトの切断を確実に検知できるようにする。【解決手段】紙幣１０を挟持して搬送する搬送ベルト１の一側に紙幣１０を検知するセンサ４により検される突出部３を設け、搬送ベルト１を走行させてセンサ４により突出部が２回検知されたとき、その検知時間間隔が一定時間以上の場合、紙幣１０を挟持する２本の搬送ベルト１のうちの一方が切断していると判定する。【選択図】図１
2009120393.tif 000002
【特許請求の範囲】
【請求項１】
媒体を挟持して搬送する搬送ベルト、該搬送ベルトにより搬送される媒体を光学的に検知するセンサを備えた媒体搬送装置において、
前記搬送ベルトの側部に前記センサにより検知可能に突出部を設け、
前記搬送ベルトを走行させて前記センサにより突出部が２回検知されたとき、その検知時間間隔が一定時間以上の場合、前記媒体を挟持する２本の搬送ベルトのうちの一方が切断していると判定することを特徴とする媒体搬送装置。
【請求項２】
請求項１記載の媒体搬送装置において、
前記突出部が２回検知されたときの検知時間間隔が一定時間未満の場合、前記センサにより突出部を２回検知させてその検知時間間隔が一定時間以上かどうかを判断する処理を少なくとも１回行うことを特徴とする媒体搬送装置。
【発明の詳細な説明】
【技術分野】
【０００１】
本発明は、紙幣等の媒体を搬送する搬送装置に関するもので、例えば金融機関等の店舗に設置される自動取引装置に組込まれる媒体搬送装置に関するものである。
【背景技術】
【０００２】
一般に自動取引装置に設けられる紙幣入出金機においては、搬送路に設けられたセンサが所定の搬送時間で順次紙幣の通過を検出しないことにより紙幣のジャム検出を行っている。
また、紙幣のジャムが検出された場合には、自動取引装置はその運用を停止し、係員によるジャム紙幣の除去作業後、運用を再開している（例えば、特許文献１参照）。
【特許文献１】特開２００３−３２７３４０
【発明の開示】
【発明が解決しようとする課題】
【０００３】
しかしながら、上述した従来の技術においては、以下の問題がある。
すなわち、紙幣ジャムの検出をセンサによる紙幣の検知と搬送時間で行っている場合、何らかの要因、例えば搬送ベルトの切断等により紙幣の搬送ができなくなった場合にも、紙幣ジャムとして検出されてしまうことがある。
この場合、自動取引装置の運用を停止して係員によるジャム紙幣の除去作業を行うことになるが、実際には紙幣ジャムではないにもかかわらず、係員がジャム紙幣を長い時間探すことになり、自動取引装置の運用効率を低下させると共に、係員の負担を増大させるという問題が生じる。
【０００４】
このような問題を解決するため、搬送ベルトの切断検知専用のセンサを設け、この専用センサにより搬送ベルトの切断を検知して係員に通知することが考えられるが、稀にしか発生しないベルトの切断を検知するために高価なセンサを設置することは低コスト化の要求にそぐわないものとなる。
本発明は、このような問題を解決することを課題とする。
【課題を解決するための手段】
【０００５】
そのため、本発明は、媒体を挟持して搬送する搬送ベルト、該搬送ベルトにより搬送される媒体を光学的に検知するセンサを備えた媒体搬送装置において、前記搬送ベルトの側部に前記センサにより検知可能に突出部を設け、前記搬送ベルトを走行させて前記センサにより突出部が２回検知されたとき、その検知時間間隔が一定時間以上の場合、前記媒体を挟持する２本の搬送ベルトのうちの一方が切断していると判定することを特徴とする。
【発明の効果】
【０００６】
このようにした本発明は、高価な専用センサを設けることなく搬送媒体を検知するセンサにより搬送ベルトの切断を確実に検知できるので、搬送ベルトが切断しても自動取引装置の運用効率を低下させたり、係員の負担を増大させたりすることなく、係員がすぐに保守員をよんで短時間で装置を復旧させることができるという効果が得られる。
【発明を実施するための最良の形態】
【０００７】
以下、図面を参照して本発明による媒体搬送装置の実施例を説明する。
【実施例】
【０００８】
図１は実施例を示す斜視図で、一例として紙幣搬送装置を示している。
図において１は複数のローラ２によって支持された無端状の搬送ベルトで、後述する搬送モータ（駆動源）によりローラ２を回転させることで循環走行する。
この搬送ベルトは図１では２本一組として二組の搬送ベルト１を平行に配置し、この二組の搬送ベルト１で紙幣１０の幅方向２箇所を挟持して搬送する構成のものを示しているが、これに限られるものではなく、幅広のものであれば１組の搬送ベルト１で紙幣１０を挟持して搬送することも可能であり、また幅の狭い搬送ベルト１を３組あるいは４組平行に配置して、各組の搬送ベルト１により紙幣１０の幅方向２箇所を挟持して搬送することも可能である。
【０００９】
尚、ＡＴＭにおいては、このような搬送ベルト１を紙幣搬送方向に複数配置して紙幣搬送路を構成するものとなっている。
３は各搬送ベルト１の一側に設けられた突出部、４は各組の搬送ベルト１の一側に配置されたセンサで、このセンサ４は発光ダイオード等の発光素子とこの発光素子に対向させて配置されるフォトトランジスタ等の受光素子から成り、通常搬送ベルト１により搬送される紙幣１０の光学的に検知するために使用されるものであるが、本実施例では突出部３の検知用として兼用されるものとなっている。
【００１０】
本実施例は、１組の搬送ベルト１が例えば図示したように上下に重ねられているとき、上部側の搬送ベルト１の突出部３と下部側の搬送ベルト１の突出部３を、搬送ベルト長の４分の１（１／４）の長さ分だけずらすと共に、センサ４を搬送ベルト１による紙幣の搬送距離Ｍの半分（Ｍ／２）の位置に配置しかつセンサ４の発光素子と受光素子を上下合わせた搬送ベルト１の高さより大きい間隔で配置することにより上部側の搬送ベルト１の突出部３と下部側の搬送ベルト１の突出部３を１つのセンサ４により同一時間間隔で検知することができるようにしている。
【００１１】
つまり、上下１組の搬送ベルト１がそれぞれ１週走行する間に搬送ベルト長の４分の１の間隔でセンサ４が突出部３を検知するように構成している。
図２は制御系のブロック図である。
図において５はローラ２を回転させることで搬送ベルト１を搬送動作させる搬送モータ、６は時間経過を計測するタイマ、７は制御部で、この制御部７にセンサ４、搬送モータ５、及びタイマ６が接続され、制御部７はこれらセンサ４、搬送モータ５、及びタイマ６を制御するものとなっている。
【００１２】
図３はセンサ４の出力状態を示すタイミングチャートで、図中のＨはセンサ４の光軸上に突出部３または紙幣１０があって光を遮っている状態（検知状態）、Ｌはセンサ４の光軸上に突出部３または紙幣１０がなく光を遮っていない状態（非検知状態）を示すセンサ出力である。
いま、搬送モータ５を起動して２本の搬送ベルト１を走行させたとき、同図（ａ）に示したように搬送ベルト１が正常で紙幣１０が搬送されていない状態では、例えば１００ミリ秒（以下、ｍｓ）の間隔でセンサ４の光軸上を搬送ベルト１の突出部３が通過する場合、１００ｍｓの間隔で突出部３の長さに対応したＨ１のセンサ出力が得られる。
【００１３】
また、同図（ｂ）に示したように搬送ベルト１が正常で紙幣１０が搬送されている状態では、１００ｍｓの間隔で突出部３の長さに対応したＨ１のセンサ出力が得られると共に、紙幣１０の長さに対応したＨ２のセンサ出力が得られることになる。
更に、同図（ｃ）に示したように搬送ベルト１が切断している場合は、搬送ベルト１が走行できないので、センサ４の光軸上を搬送ベルト１の突出部３が通過することはなく、センサ出力はＬのままである。
【００１４】
本実施例ではこのようにセンサ出力が得られるものとなっており、制御部７はこの出力からセンサ４が搬送ベルト１の突出部３を検知したことを認識することができる。
上述した構成による実施例の作用について説明する。
図４は実施例の作用を示すフローチャートで、以下Ｓで示したステップに従って説明する。
Ｓ１：まず、制御部７は搬送モータ５を起動させる。
【００１５】
搬送モータ５が起動すると、図示しない動力伝達機構を介してローラ２が回転し、それに伴って搬送ベルト１が走行する。
Ｓ２：次に、搬送ベルト１の切断を監視するため、制御部７はタイマ６の計測値を「０」にクリアする。
Ｓ３：次に、制御部７はタイマ６をスタートさせて計測を開始させる。
Ｓ４：その後、予め設定した時間Ｗａｉｔ（待機）する。
【００１６】
このＷａｉｔ時間は搬送モータ５の回転が安定するまでの時間で、本実施例では、例えば１０００ｍｓとしている。
Ｓ５：１０００ｍｓ経過後、制御部７はセンサ４が搬送ベルト１の突出部３を検知したかどうか（センサ出力がＬの状態からＨ１の状態に変化したかどうか）を確認し、検知した場合はＳ７に進む。
Ｓ６：制御部７はセンサ４による突出部３の検知を所定の時間、例えば１００ｍｓ（突出部３の検知間隔時間）監視し、所定の時間が経過してもセンサ４が突出部３を検知しない場合、タイムアウトとしてＳ９に移行する。
Ｓ７：制御部７は搬送ベルト１の突出部３を検知した場合、その検知時点でのタイマ６の計測値Ｔを図示しないメモリに時間Ｔｏｎとして保存する。
Ｓ８：時間Ｔｏｎとして保存した後、制御部７はセンサ４が次の突出部３を検知したかどうかを確認し、検知しない場合は検知するまで待つ。
Ｓ９：制御部７はセンサ４が次の突出部３を検知すると、その検知時点でのタイマ６の計測値Ｔから時間Ｔｏｎを減算（Ｔ−Ｔｏｎ）し、減算した値が予め定めた第１の基準時間（例えば１００ｍｓ）以上か否かにより、搬送ベルト１が切断したか否かを判断する。
【００１７】
つまり、２本１組とした搬送ベルト１に設けた突出部３が、図３（ａ）で説明したようにセンサ４により１００ｍｓの間隔で検知される場合、突出部３が２回検知される時間間隔が１００ｍｓ以上であれば、２本の搬送ベルト１のどちらか一方が切断しているものと判定することができる。
Ｓ１０：制御部７は搬送ベルト１が切断しているものと判断した場合、搬送モータ５を停止して動作を終了する。
【００１８】
尚、この場合、図示しない表示部やブザー等により搬送ベルト１の切断が発生したことを係員に報知する。
Ｓ１１：Ｔ−Ｔｏｎの値が基準時間未満の場合、制御部７は現時点でのタイマ６の計測値Ｔが第１の基準時間より長い予め定めた第２の基準時間（例えば２０００ｍｓ）以上か否かを判断する。
Ｓ１２：計測値Ｔが第２の基準時間未満の場合、制御部７はセンサ４による次の突出部３の検知を待ち、そしてセンサ４が次の突出部３を検知した場合、Ｓ７に戻って今回の検知時点でのタイマ６の計測値Ｔを図示しないメモリに時間Ｔｏｎとして保存し、以後Ｓ８からの処理を繰返す。
Ｓ１３：前記Ｓ１１の判断で計測値Ｔが第２の基準時間以上であった場合、制御部７は搬送ベルト１が切断していない正常な状態であると判断し、搬送モータ５を停止して動作を終了する。
【００１９】
つまり、この時点では複数回繰り返して第１の基準時間内でセンサ４により突出部３が検知されたことになるので、搬送ベルト１は確実に切断していないことが確認されたことになり、そのため、搬送モータ５を停止して正常終了とする。
以上説明した実施例によれば、紙幣を搬送する搬送ベルトの一側に突出部を設けて、この突出部を紙幣検知用のセンサが所定の時間間隔で検知するか否かにより搬送ベルトが切断したか否かを確認するようにしているため、特別なセンサを設けることなく安価に実現可能で、かつ紙幣ジャムと区別して搬送ベルトの切断を検出することができ、搬送ベルト切断の場合は、係員がすぐに保守員をよぶことができるため、装置の復旧時間を大幅に短縮できるという効果が得られる。
【００２０】
尚、上述した実施例は紙幣を搬送する装置を例にして説明したが、紙幣以外の媒体を搬送する装置についても適用可能である。
また、上述した実施例では、Ｔ−Ｔｏｎの値が第１の基準時間未満の場合、つまり突出部３が２回検知されたときの検知時間間隔が一定時間未満の場合、Ｔ−Ｔｏｎの値が第２の基準時間（例えば２０００ｍｓ）以上か否かを判断して、Ｔ−Ｔｏｎの値が第２の基準時間以上になるまで、突出部３の２回検知、Ｔ−Ｔｏｎの値が第１の基準時間以上か否かの判断、Ｔ−Ｔｏｎの値が第２の基準時間以上の判断を繰り返し行うものとしたが、最初に突出部が２回検知されたときのＴ−Ｔｏｎの値が第１の基準時間未満の場合、つまり突出部３が最初に２回検知されたときの検知時間間隔が一定時間未満の場合、センサ４により突出部３を２回検知させてその検知時間間隔が一定時間以上かどうかを判断する処理を少なくとも１回行うものとしてもよい。
【００２１】
更に、上述した実施例では１組の搬送ベルト１について、各々の搬送ベルト１に突出部３を１つ設けたものとしたが、搬送ベルト１の長さに応じて複数設けてもよく、その場合は一定の時間間隔で突出部３がセンサ４により検出されるようにする。
【図面の簡単な説明】
【００２２】
【図１】実施例を示す斜視図
【図２】実施例の制御系を示すブロック図
【図３】センサの出力状態を示すタイミングチャート
【図４】実施例の作用を示すフローチャート
【符号の説明】
【００２３】
１    搬送ベルト
２    ローラ
３    突出部
４    センサ
５    搬送モータ
６    タイマ
７    制御部
【図１】
2009120393.tif 000003
【図２】
2009120393.tif 000004
【図３】
2009120393.tif 000005
【図４】
2009120393.tif 000006